(57)【要約】【課題】他の工具を使用しないで、ワイヤーが電気接続装置と組立てることが達成できる電気連接装置の固定座を提供する。【解決手段】スイッチの底部に設置する固定座を有し、その固定座の上面に離間壁によって複数の収容部が形成されると共に、収容部の一側にスイッチの金属端子を挿入するため拡大の取付溝が形成されると共に、他側に拡大の位置決め溝が形成され、固定座の壁に貫通孔が形成され、収容部の内部にワイヤーの金属ワイヤーを挟持する弾力部材が設けられ、弾力部材の前端に金属ワイヤーを挟持するため切口が形成されることを特徴とする。【選択図】        図１
2004327163.tif 000002
【特許請求の範囲】
【請求項１】
スイッチの底部に設置する固定座を有し、その固定座の上面に離間壁によって複数の収容部が形成されると共に、収容部の一側にスイッチの金属端子を挿入するため拡大の取付溝が形成されると共に、他側に拡大の位置決め溝が形成され、固定座の壁に貫通孔が形成され、収容部の内部にワイヤーの金属ワイヤーを挟持する弾力部材が設けられ、
弾力部材の前端に金属ワイヤーを挟持するため切口が形成されることを特徴とする電気連接装置の固定座。
【請求項２】
弾力部材は金属プレートを直角に折り曲げて形成すると共に、位置決めプレートと弾力プレートを有するものであり、その弾力プイレートの前端に前記切口が形成され、位置決めプレートの幅は弾力プイレートより大きく、位置決めプレートは固定座の位置決め溝の内部に挿入すると共に、弾力プレートは収容部の内部に置き込むことを特徴とする請求項１に記載の電気連接装置の固定座。
【請求項３】
弾力プレートは複数であることを特徴とする請求項２に記載の電気連接装置の固定座。
【請求項４】
離間壁の付近に位置決め壁を設けることにより位置決め溝が形成されることを特徴とする請求項１〜３のいずれかに記載の電気連接装置の固定座。
【請求項５】
弾力部材は弾力プレートとスプリングを備え、その弾力プレートの一端に前記切口が形成されると共に、他端に位置決め溝の内部に挿入する係合フックが設けられ、スプリングによって弾力プレートに付勢することを特徴とする請求項１に記載の電気連接装置の固定座。
【請求項６】
収容部の側面に貫通孔が形成され、底部に金属ワイヤーを挿入するため貫通孔が形成され、弾力部材は金属プレートを直角に折り曲げて形成すると共に、位置決めプレートと弾力プレートを有するものであり、弾力プイレートの前端に切口が形成され、側面における貫通孔にロッド状の固定部材が設けられ、この固定部材の一端に頭部が設けられると共に、他の位置に位置決めリブが設けられ、固定部材は貫通孔の内部に挿入する場合、頭部が貫通孔に位置されることを特徴とする請求項１に記載の電気連接装置の固定座。
【請求項７】
収容部の側面における貫通孔の周縁に二つの位置決めスリットが形成されると共に、頭部の周縁にいずれの位置決めスリットに挿入する位置決めリブが設けられることを特徴とする請求項６に記載の電気連接装置の固定座。
【発明の詳細な説明】
【０００１】
【発明の属する技術分野】
本発明は、特に他の工具を使用しないで、ワイヤーが電気接続装置と組立てることが達成できる電気連接装置の固定座に関するものである。
【０００２】
【従来の技術】
従来のスイッチやソケットなど電気接続装置は、例えば台湾実用新案公告４９６５９９号「延長コードにおけるスイッチの快速組立構造」であり、電気製品又は電子部材の電気接続のために用いるものであり、その電気接続装置とワイヤーとの接続方法は、例えばスイッチの本体から外部へ延出する金属端子が溶接によってワイヤーと連接すること或いは金属端子に形成する螺合孔にねじが設けられると共に、ねじにワイヤーが捲きまわりのように設置されることにより、ワイヤーと金属端子との接続を行っている。
【０００３】
【本発明が解決しようとする課題】
しかしながら、従来の電気接続装置とワイヤーとの接続方法は、はんだごて又はドライバーなど他の工具を使用する必要があるので、非常に不便である。
【０００４】
そこで、出願されたのが本発明であって、他の工具を使用しないで、ワイヤーが電気接続装置と組立てることが達成できる電気連接装置の固定座を提供することを目的としている。
【０００５】
【課題を解決するための手段】
本願の請求項１の発明は、スイッチの底部に設置する固定座を有し、その固定座の上面に離間壁によって複数の収容部が形成されると共に、収容部の一側にスイッチの金属端子を挿入するため拡大の取付溝が形成されると共に、他側に拡大の位置決め溝が形成され、固定座の壁に貫通孔が形成され、収容部の内部にワイヤーの金属ワイヤーを挟持する弾力部材が設けられ、
弾力部材の前端に金属ワイヤーを挟持するため切口が形成されることを特徴とする電気連接装置の固定座及び、
本願の請求項２の発明は、弾力部材は金属プレートを直角に折り曲げて形成すると共に、位置決めプレートと弾力プレートを有するものであり、その弾力プイレートの前端に前記切口が形成され、位置決めプレートの幅は弾力プイレートより大きく、位置決めプレートは固定座の位置決め溝の内部に挿入すると共に、弾力プレートは収容部の内部に置き込むことを特徴とする請求項１に記載の電気連接装置の固定座及び、
本願の請求項３の発明は、弾力プレートは複数であることを特徴とする請求項２に記載の電気連接装置の固定座及び、
本願の請求項４の発明は、離間壁の付近に位置決め壁を設けることにより位置決め溝が形成されることを特徴とする請求項１〜３のいずれかに記載の電気連接装置の固定座及び、
本願の請求項５の発明は、弾力部材は弾力プレートとスプリングを備え、その弾力プレートの一端に前記切口が形成されると共に、他端に位置決め溝の内部に挿入する係合フックが設けられ、スプリングによって弾力プレートに付勢することを特徴とする請求項１に記載の電気連接装置の固定座及び、
本願の請求項６の発明は、収容部の側面に貫通孔が形成され、底部に金属ワイヤーを挿入するため貫通孔が形成され、弾力部材は金属プレートを直角に折り曲げて形成すると共に、位置決めプレートと弾力プレートを有するものであり、弾力プイレートの前端に切口が形成され、側面における貫通孔にロッド状の固定部材が設けられ、この固定部材の一端に頭部が設けられると共に、他の位置に位置決めリブが設けられ、固定部材は貫通孔の内部に挿入する場合、頭部が貫通孔に位置されることを特徴とする請求項１に記載の電気連接装置の固定座及び、
本願の請求項７の発明は、収容部の側面における貫通孔の周縁に二つの位置決めスリットが形成されると共に、頭部の周縁にいずれの位置決めスリットに挿入する位置決めリブが設けられることを特徴とする請求項６に記載の電気連接装置の固定座、
を提供する。
【０００６】
【作用】
本発明は上記の課題を解決するものであり、固定座にスイッチの金属端子と弾力プレートを収容する収容部が形成され、収容部に貫通孔が形成され、金属ワイヤーを貫通孔を通じて収容部の内部に挿入することにより、弾力プレートの付勢力によって金属ワイヤーがスイッチの金属端子と強固に接触することができる。
【０００７】
【発明の実施の形態】
以下、添付図面を参照して本発明の好適な実施の形態を詳細に説明する。
【０００８】
図１は本発明に係わる電気連接装置の固定座における第一実施例の分解斜視図であり、図２は図１の断面図であり、図３は本発明に係わる電気連接装置の固定座における第一実施例の使用状態を示す一部断面図であり、図４は本発明に係わる電気連接装置の固定座における第二実施例の分解斜視図であり、図５は図４の断面図であり、図６は本発明に係わる電気連接装置の固定座における第三実施例の分解斜視図であり、図７は本発明に係わる電気連接装置の固定座における第三実施例の使用状態を示す断面図であり、図８は本発明に係わる電気連接装置の固定座における第四実施例の分解斜視図であり、図９は本発明に係わる電気連接装置の固定座における第四実施例の使用状態を示す断面図であり、図１０は本発明に係わる電気連接装置の固定座における第五実施例の分解斜視図であり、図１１は本発明に係わる電気連接装置の固定座における第五実施例の使用状態を示す一部断面図である。
【０００９】
図１に示すように、本発明に係わる電気連接装置の固定座（２０）はスイッチ（１０）の底部に設置されるものであり、上面に離間壁（２１）によって複数の収容部（２２）が形成されると共に、収容部（２２）の内部にワイヤー（３０）の金属ワイヤー（３１）を挟持する弾力部材（２６）が設けられる。
【００１０】
収容部（２２）の一側にスイッチ（１０）の金属端子（１１）を挿入するため拡大の取付溝（２３）が形成されると共に、他側に拡大の位置決め溝（２４）が形成され、底部に貫通孔（２５）が形成される。
【００１１】
前記弾力部材（２６）は金属プレートを直角に折り曲げて形成すると共に、位置決めプレート（２６１）と弾力プレート（２６２）を有するものであり、その弾力プイレート（２６２）の前端に切口（２６３）が形成され、位置決めプレート（２６１）の幅は弾力プイレート（２６２）より大きく、図２に示すように、位置決めプレート（２６１）は固定座（２０）の位置決め溝（２４）の内部に挿入すると共に、弾力プレート（２６２）は収容部（２２）の内部に置き込むことにより、弾力プイレート（２６２）の前端における切口（２６３）は貫通孔（２５）の一部をカバーする。
【００１２】
図３に示すように、ワイヤー（３０）を設置する場合は、ワイヤー（３０）の金属ワイヤー（３１）が貫通孔（２５）を貫通して固定座（２０）の内部に挿入され、弾力プレート（２６２）の切口（２６３）が金属ワイヤー（３１）をスイッチ（１０）の金属端子（１１）へ押圧することにより、金属ワイヤー（３１）はスイッチ（１０）の金属端子（１１）と接続することができる。
【００１３】
又、図４に示すように、本発明に係わる電気連接装置の固定座（２０）はスイッチ（１０）の底部に設置されるものであり、上面に離間壁（２１）によって複数の収容部（２２）が形成されると共に、収容部（２２）の内部にワイヤー（３０）の金属ワイヤー（３１）を挟持する弾力部材（２７）が設けられる。
【００１４】
収容部（２２）の一側にスイッチ（１０）の金属端子（１１）を挿入するため拡大の取付溝（２３）が形成されると共に、他側に拡大の位置決め溝（２４）が形成され、底部に複数の貫通孔（２５）が形成される。
【００１５】
前記弾力部材（２７）は金属プレートを直角に折り曲げて形成すると共に、位置決めプレート（２７１）と複数の弾力プレート（２７２）を有するものであり、各弾力プイレート（２７２）の前端に切口（２７３）が形成され、位置決めプレート（２７１）の幅は弾力プイレート（２７２）より大きく、図５に示すように、位置決めプレート（２７１）は固定座（２０）の位置決め溝（２４）の内部に挿入すると共に、弾力プレート（２７２）は収容部（２２）の内部に置き込むことにより、弾力プイレート（２７２）の前端における切口（２７３）は貫通孔（２５）の一部をカバーする。又、ワイヤー（３０）を設置する場合は、ワイヤー（３０）の金属ワイヤー（３１）が貫通孔（２５）を貫通して固定座（２０）の内部に挿入され、弾力プレート（２７２）の切口（２７３）が金属ワイヤー（３１）をスイッチ（１０）の金属端子（１１）へ押圧することにより、金属ワイヤー（３１）はスイッチ（１０）の金属端子（１１）と接続することができる。
【００１６】
図６に示すように、本発明に係わる電気連接装置の固定座（４０）はスイッチ（１０）の底部に設置されるものであり、上面に離間壁（４１）によって複数の収容部（４２）が形成されると共に、収容部（４２）の内部にワイヤー（３０）の金属ワイヤー（３１）を挟持する弾力部材（２６）が設けられ、前記固定座（２０）と異なるのは、離間壁（４１）の付近に位置決め壁（４５）を設けることにより位置決め溝（４４）が形成され、固定座（４０）の側面に貫通孔（４６）が形成され、弾力部材（２６）の位置決めプレート（２６１）は固定座（４０）の位置決め溝（４４）の内部に挿入すると共に、弾力プレート（２６２）は収容部（４２）の内部に置き込むことにより、弾力プイレート（２６２）の前端における切口（２６３）は貫通孔（４６）の一部をカバーし、又、図７に示すように、ワイヤー（３０）を設置する場合は、ワイヤー（３０）の金属ワイヤー（３１）が貫通孔（４６）を貫通して固定座（４０）の内部に挿入され、弾力プレート（２６２）の切口（２６３）が金属ワイヤー（３１）をスイッチ（１０）の金属端子（１１）へ押圧することにより、金属ワイヤー（３１）はスイッチ（１０）の金属端子（１１）と接続することができる。
【００１７】
図８及び図９に示すように、本発明に係わる電気連接装置の固定座（５０）はスイッチ（１０）の底部に設置されるものであり、上面に離間壁（５１）によって複数の収容部（５２）が形成されると共に、収容部（５２）の内部にワイヤー（３０）の金属ワイヤー（３１）を挟持する弾力部材（２８）が設けられ、収容部（５２）の一側にスイッチ（１０）の金属端子（１１）を挿入するため拡大の取付溝（５３）が形成されると共に、他側に拡大の位置決め溝（５４）が形成され、側面に貫通孔（５５）が形成され、前記固定座（２０）（４０）と異なるのは、前記弾力部材（２８）は弾力プレート（２８１）とスプリング（２８４）を備え、その弾力プレート（２８１）の一端に切口（２８２）が形成されると共に、他端に位置決め溝（５４）の内部に挿入する係合フック（２８３）が設けられ、弾力プイレート（２８１）の一端における切口（２８２）は貫通孔（５５）の一部をカバーすると共に、スプリング（２８４）によって弾力プレート（２８１）に付勢する。ワイヤー（３０）を設置する場合は、ワイヤー（３０）の金属ワイヤー（３１）が貫通孔（５５）を貫通して固定座（５０）の内部に挿入され、弾力プレート（２８１）の切口（２８２）が金属ワイヤー（３１）をスイッチ（１０）の金属端子（１１）へ押圧することにより、金属ワイヤー（３１）はスイッチ（１０）の金属端子（１１）と接続することができる。
【００１８】
図１０及び図１１に示すように、本発明に係わる電気連接装置の固定座（５０）はスイッチ（１０）の底部に設置されるものであり、上面に離間壁（５１）によって複数の収容部（５２）が形成されると共に、収容部（５２）の内部にワイヤー（３０）の金属ワイヤー（３１）を挟持する弾力部材（２９）が設けられ、収容部（５２）の一側にスイッチ（１０）の金属端子（１１）を挿入するため拡大の取付溝（５３）が形成されると共に、他側に拡大の位置決め溝（５４）が形成され、側面に周縁に位置決めスリット（５５１）（５５２）を有する貫通孔（５５）が形成され、底部に金属ワイヤー（３１）を挿入するため貫通孔（５６）が形成される。
【００１９】
前記弾力部材（２９）は金属プレートを直角に折り曲げて形成すると共に、位置決めプレート（２９１）と弾力プレート（２９２）を有するものであり、弾力プイレート（２９２）の前端に切口（２９３）が形成され、位置決めプレート（２９１）の幅は弾力プイレート（２９２）より大きく、又、位置決めプレート（２９１）は固定座（５０）の位置決め溝（５４）の内部に挿入すると共に、弾力プレート（２９２）は収容部（５２）の内部に置き込むことにより、位置決めプレート（２９１）と弾力プレート（２９２）の折り曲げる箇所を固定座（５０）の側面における貫通孔（５５）の軸向位置に位置する。
【００２０】
前記貫通孔（５５）にロッド状の固定部材（５７）が設けられ、この固定部材（５７）の一端に位置決めリブ（５７２）を有する頭部（５７１）が設けられると共に、他の位置に位置決めリブ（５７３）が設けられ、固定部材（５７）は貫通孔（５５）の内部に挿入する場合、頭部（５７１）が貫通孔（５５）に位置されると共に、位置決めリブ（５７２）が貫通孔（５５）におけるいずれの位置決めスリット（５５１）（５５２）に位置決められることにより、固定部材（５７）を貫通孔（５５）に設置する。
【００２１】
図１１に示すように、固定部材（５７）の位置決めリブ（５７２）は貫通孔（５５）の位置決めスリット（５５１）に位置する際、位置決めリブ（５７３）が弾力プレート（２９２）と接触しないから、ワイヤー（３０）の金属ワイヤー（３１）が固定座（５０）底部における貫通孔（５６）を通じて内部に挿入することができ、更に、固定部材（５７）を回転させ、位置決めリブ（５７２）が位置決めスリット（５５１）から位置決めスリット（５５２）へ移動されると共に、位置決めリブ（５７３）が弾力プレート（２９２）と接触することにより、弾力プレート（２９２）が金属ワイヤー（３１）を押圧し、即ち金属ワイヤー（３１）が弾力プレート（２９２）の付勢力によってスイッチ（１０）の金属端子（１１）と強固に接触する。
【００２２】
【発明の効果】
本発明は上記の構造を有するので、固定座にスイッチの金属端子と弾力プレートを収容する収容部が形成され、収容部に貫通孔が形成され、金属ワイヤーを貫通孔を通じて収容部の内部に挿入することにより、弾力プレートの付勢力によって金属ワイヤーがスイッチの金属端子と強固に接触することができるので、他の工具を使用しないで、金属ワイヤーと金属端子の接続することを達成でき、非常に便利である。
【図面の簡単な説明】
【図１】本発明に係わる電気連接装置の固定座における第一実施例の分解斜視図である。
【図２】図１の断面図である。
【図３】本発明に係わる電気連接装置の固定座における第一実施例の使用状態を示す一部断面図である。
【図４】本発明に係わる電気連接装置の固定座における第二実施例の分解斜視図である。
【図５】図４の断面図である。
【図６】本発明に係わる電気連接装置の固定座における第三実施例の分解斜視図である。
【図７】本発明に係わる電気連接装置の固定座における第三実施例の使用状態を示す断面図である。
【図８】本発明に係わる電気連接装置の固定座における第四実施例の分解斜視図である。
【図９】本発明に係わる電気連接装置の固定座における第四実施例の使用状態を示す断面図である。
【図１０】本発明に係わる電気連接装置の固定座における第五実施例の分解斜視図である。
【図１１】本発明に係わる電気連接装置の固定座における第五実施例の使用状態を示す一部断面図である。
【符号の説明】
１０        スイッチ
１１        金属端子
２０        固定座
２１        離間壁
２２        収容部
２３        取付溝
２４        位置決め溝
２５        貫通孔
２６        弾力部材
２６１      位置決めプレート
２６２      弾力プレート
２６３      切口
２７        弾力部材
２７１      位置決めプレート
２７２      弾力プレート
２７３      切口
２８        弾力部材
２８１      弾力プレート
２８２      切口
２８３      係合フック
２８４      スプリング
２９        弾力部材
２９１      位置決めプレート
２９２      弾力プレート
２９３      切口
３０        ワイヤー
３１        金属ワイヤー
４０        固定座
４１        離間壁
４２        収容部
４３        取付溝
４４        位置決め溝
４５        位置決め壁
４６        貫通孔
５０        固定座
５１        離間壁
５２        収容部
５３        取付溝
５４        位置決め溝
５５        貫通孔
５５１      位置決めスリット
５５２      位置決めスリット
５６        貫通孔
５７        固定部材
５７１      頭部
５７２      位置決めリブ
５７３      係合リブ
【図１】
2004327163.tif 000003
【図２】
2004327163.tif 000004
【図３】
2004327163.tif 000005
【図４】
2004327163.tif 000006
【図５】
2004327163.tif 000007
【図６】
2004327163.tif 000008
【図７】
2004327163.tif 000009
【図８】
2004327163.tif 000010
【図９】
2004327163.tif 000011
【図１０】
2004327163.tif 000012
【図１１】
2004327163.tif 000013